(57)【特許請求の範囲】
【請求項１】
試薬を用いてサンプルの発現量を測定する測定機器と、
該測定機器から送信された測定データを処理し実験結果ファイルを作成する実験処理装置と、
該実験結果ファイルに基づいて実験結果を解析する複数の解析処理装置又は解析処理プログラムと、を有し、
上記実験処理装置は、上記測定データと、上記複数の解析処理装置又は解析処理プログラムの１つを特定する識別記号と、上記サンプルに関するサンプル情報を有する実験結果ファイルを生成し、該実験結果ファイルを上記解析処理装置又は解析処理プログラムに送信し、
上記実験処理装置は、複数の実験において、上記サンプル情報が同一の場合には、上記測定データと上記解析処理装置又は解析処理プログラムの識別記号のみを上記実験結果ファイルに記入することによって上記実験結果ファイルを生成することを特徴とする実験解析システム。
【請求項２】
請求項１記載の実験解析システムにおいて、上記実験処理装置は、上記測定機器から送信された測定データを受信する測定データ受信処理部と、ユーザによって設定された実験結果フォーマットを保存する実験結果フォーマット保存部と、上記実験結果フォーマットに上記測定データと上記識別記号と上記サンプル情報を記入して上記実験結果ファイルを作成する実験結果ファイル作成部と、該実験結果ファイルを上記識別記号によって特定された解析処理装置又は解析処理プログラムに送信する実験結果ファイル送信処理部とを有することを特徴とする実験解析システム。
【請求項３】
請求項１記載の実験解析システムにおいて、上記識別記号及び上記サンプル情報は、上記実験処理装置に入力されることを特徴とする実験解析システム。
【請求項４】
請求項１記載の実験解析システムにおいて、上記識別記号及び上記サンプル情報は、上記解析処理装置又は解析処理プログラムに入力され、上記解析処理装置又は解析処理プログラムを経由して上記実験処理装置に送信されることを特徴とする実験解析システム。
【請求項５】
請求項１記載の実験解析システムにおいて、上記実験結果フォーマットは、上記測定データを格納する測定データ領域と、上記識別記号を格納する解析処理識別番号領域と、上記サンプル情報を格納するサンプル情報領域とを有することを特徴とする実験解析システム。
【請求項６】
請求項１記載の実験解析システムにおいて、上記実験処理装置における処理及び上記解析処理装置又は解析処理プログラムにおける処理はソフトウエアによって実行されることを特徴とする実験解析システム。
【発明の詳細な説明】
【技術分野】
【０００１】
本発明は、試薬を用いてサンプル中のタンパク質や核酸などの生体分子の発現量を測定し、それを解析する実験解析システムに関する。
【背景技術】
【０００２】
骨髄移植におけるＨＬＡ型判定やタンパク質の濃度測定等では、測定機器から出力された発現量等の測定データから実験結果を得る実験処理工程と、それを解析する解析工程からなる。即ち、発現量等の測定データを解読し実験結果を生成する実験処理プログラムと実験結果を解析する解析プログラムからなる。通常、１つの実験処理プログラムに対して複数の解析プログラムが用意され、実験毎に最適な解析プログラムが選択される。また、実験処理プログラムと解析プログラムは別個に独立に管理される。
【発明の開示】
【発明が解決しようとする課題】
【０００３】
従来の実験解析システムでは、実験処理工程から解析工程へは、測定データのみが提供され、サンプル情報は提供されない。従って、解析工程では、サンプル情報を入力する必要がある。
【０００４】
生物又は生化学実験では、同一の実験条件下にて同一の測定機器を使用しても、実験結果が異なることがある。そのような場合には、異なる解析プログラムを用いる。従って、解析プログラムに測定データを入力する毎にサンプル情報を入力しなけらばならない。即ち、サンプル情報は同一であっても、解析プログラムが異なる場合には、同一のサンプル情報を再度入力する必要がある。
【０００５】
本発明の目的は、解析処理装置を起動する毎にサンプル情報を入力する必要がない実験解析システムを提供することにある。
【課題を解決するための手段】
【０００６】
本発明によると、実験解析システムは、試薬を用いてサンプルの発現量を測定する測定機器と、該測定機器から送信された測定データを処理し実験結果ファイルを作成する実験処理装置と、該実験結果ファイルに基づいて実験結果を解析する複数の解析処理装置と、を有し、上記実験処理装置は、上記測定データと、上記複数の解析処理装置の１つを特定する識別記号と、上記サンプルに関するサンプル情報を有する実験結果ファイルを生成し、それを上記解析処理装置に送信する。
【発明の効果】
【０００７】
本発明によると、解析処理装置を起動する毎にサンプル情報を入力する必要がないから、処理が簡単である。
【発明を実施するための最良の形態】
【０００８】
図１を参照して本発明による実験解析システムの例を説明する。本例の実験解析システムは、生物又は生化学実験等において試薬を用いてサンプルの発現量を測定する測定機器１１、測定機器１１から送信された測定データ２１を処理し実験結果ファイル２４を作成する実験処理装置１２、及び、実験結果ファイル２４に基づいて実験結果を解析する複数の解析処理装置１３を有する。測定機器１１と実験処理装置１２は、全ての実験で使用されるが、複数の解析処理装置１３のうちの１つが使用される。使用される解析処理装置１３は、実験の種類、内容等によって異なる。しかしながら、実験の種類、内容等が決まると、使用する解析処理装置１３は１つに決まる。測定機器１１と実験処理装置１２の管理と解析処理装置１３の管理は通常別個に行われる。
【０００９】
測定機器１１から実験処理装置１２に測定データ２１が送られる。測定データ２１は、測定機器１１によって得られた電気信号であり、例えば、ケーブルを介して送信される。測定機器１１を用いて様々な生化学実験が行われる。測定機器１１は、例えば、測定データとして発現量を生成する。
【００１０】
ユーザは、サンプル情報２３を実験処理装置１２に入力する。この入力処理は、解析処理装置１３にて行ってもよい、解析処理装置１３にて、入力処理を行った場合には、入力したサンプル情報を実験処理装置１２に送信する。実験処理装置１２及び解析処理装置１３の動作は後に説明する。
【００１１】
実験処理装置１２、及び、複数の解析処理装置１３は、ソフトウエアによって処理を行うように構成されてよい。
【００１２】
図２を参照して実験処理装置１２の構成を説明する。実験処理装置１２は、測定機器１１から送信された測定データ２１を受信する測定データ受信処理部１２１、ユーザによって設定された実験結果フォーマット２２を保存する実験結果フォーマット保存部１２２、実験結果フォーマット２２にサンプル情報等を記入して実験結果ファイル２４を作成する実験結果ファイル作成部１２３、及び、実験結果ファイル２４を所定の解析処理装置１３に送信する実験結果ファイル送信処理部１２４を有する。
【００１３】
図３は、実験結果フォーマット２２の例を示す。本例によると、実験結果フォーマット２２は、測定データを格納する測定データ領域２２１と、解析処理装置（又は解析処理プログラム）の識別記号を格納する解析処理識別記号領域２２２と、サンプル情報を格納するサンプル情報領域２２３とを有する。サンプル情報は、サンプルの種類、本数、サンプルプレートの規格等である。上述のように、ユーザは、複数の解析処理装置から１つの解析処理装置（解析プログラム）を選択するが、実験の開始時にはどの解析処理装置を用いるかが決められる。
【００１４】
この実験結果フォーマット２２の各領域にデータ、記号、情報等を格納することによって実験結果ファイル２４が生成される。
【００１５】
本例では、複数の実験において、サンプル情報が同一の場合には、測定データと解析処理装置（又は解析処理プログラム）の識別記号のみを実験結果フォーマット２２に記入することによって実験結果ファイルが生成される。従って、実験解析工程の処理が簡単である。
【００１６】
図４を参照して、本発明による実験処理装置１２の処理を説明する。ステップ４０１にて、サンプル情報を入力する。この入力処理は、上述のように、実験処理装置１２を介して行ってもよいが、解析処理装置１３を介して行ってもよい。ステップ４０２にて、実験結果ファイル作成部１２３は、実験結果フォーマット２２の解析処理識別記号領域２２２に解析処理装置（又は解析プログラム）の識別記号を格納し、サンプル情報領域２２３にサンプル情報２３を記入する。ステップ４０３にて、実験結果ファイル作成部１２３は、実験結果フォーマット２２の測定データ領域２２１に測定データ２１を格納する。こうして、実験結果ファイル２４が生成される。ステップ４０４にて、実験結果ファイル送信処理部１２４は、実験結果フォーマット２２の解析処理識別記号領域２２２に記載された解析処理識別記号に基づいて、解析処理装置１３を特定し、特定した解析処理装置１３に実験結果ファイル２４を送信する。
【００１７】
図５を参照して、本発明による解析処理装置１３の処理を説明する。ステップ５０１にて、解析処理装置１３は、実験結果ファイル２４を受信し、ステップ５０２にて、実験結果ファイル２４を読み込む。ステップ５０３にて、解析処理装置１３は、実験結果ファイルに全てのデータが記入されているか否かを判定する。即ち、測定データ領域に測定データを格納され、解析処理識別記号領域に解析処理装置（解析プログラム）の識別記号を格納され、サンプル情報領域にサンプル情報が格納されているか否かを判定する。実験結果ファイルに全ての情報が格納されている場合には、ステップ５０４に進み、実験結果ファイルに全ての情報が格納されていない場合には、ステップ５０１に戻り、実験結果ファイルを受信する。ステップ５０４にて、解析処理装置１３は、解析を実行し、解析結果を出力する。
【００１８】
こうして本例では、解析処理装置が複数個ある場合でも、最初に設定したサンプル情報に対応した解析処理装置のみが実験結果を処理することができる。
【００１９】
以上本発明の例を説明したが本発明は上述の例に限定されるものではなく、特許請求の範囲に記載された発明の範囲にて様々な変更が可能であることは当業者に容易に理解されよう。
【図面の簡単な説明】
【００２０】
【図１】本発明による実験解析システムの例を示す図である。
【図２】本発明による実験解析システムの実験処理装置の構成例を示す図である。
【図３】本発明による実験解析システムにて使用する実験結果フォーマットの例を示す図である。
【図４】本発明による実験解析システムの実験処理装置の処理を説明する図である。
【図５】本発明による実験解析システムの解析処理装置の処理を説明する図である。
【符号の説明】
【００２１】
１１…測定機器、１２…実験処理装置、１３…解析処理装置、２１…測定データ、２２…実験結果フォーマット、２３…サンプル情報、２４…実験結果ファイル
【図１】
0004758269.tif 000002
【図２】
0004758269.tif 000003
【図３】
0004758269.tif 000004
【図４】
0004758269.tif 000005
【図５】
0004758269.tif 000006